【手続補正書】
【提出日】平成16年3月18日(2004.3.18)
【手続補正１】
【補正対象書類名】明細書
【補正対象項目名】全文
【補正方法】変更
【補正の内容】
【発明の名称】スライドレール
【特許請求の範囲】
【請求項１】固定側メンバーと、固定側メンバーに摺動自在に保持された中間メンバーと、中間メンバーに摺動自在に保持された移動側メンバーと、中間メンバーが固定側メンバーに対し最大引き出され、かつ、移動側メンバーが中間メンバーに対し所定距離引き出された状態で、中間メンバーを固定側メンバーにロック状態となすロック部材が中間メンバーに設けられたスライドレールにおいて、中間メンバーのロック状態で、移動側メンバーが中間メンバーの所定位置まで収納された時、移動メンバーが、中間メンバーと固定側メンバーのロック状態を解除し、さらに、移動側メンバーが前記ロック部材に保持されると共に、中間メンバーと移動側メンバーが、固定側メンバーに収納された状態で、移動側メンバーの後端部を保持する収納時保持部材が固定側メンバーの後端部に設けられている事を特徴とするスライドレール。
【請求項２】ロック部材は、固定側メンバーに設けられたストッパー部に当接するストッパー当接部と移動側メンバーを保持する保持部を有し、移動側メンバーは、ロック部材のロック解除部と、ロック部材の保持部に対応する被保持部と、収納時保持部材に対応する被収納時保持部を有することを特徴とする請求項１に記載のスライドレール。
【請求項３】ロック部材は、ストッパー当接部がストッパー部に当接する位置と当接しない位置に変移可能で、かつ、常にストッパー当接部が、ストッパー部に当接する位置に変移するよう中間メンバーの後端部に回動自在に保持され、移動側メンバーは、ロック部材のロック解除部と、ロック部材の保持部に対応する被保持部と、収納保持部に対応する被収納保持部を有し、被保持部は、移動側メンバーの基板の後端部に形成された被係合部より構成され、保持部は、被係合部に弾性的に係合する弾性係合部より構成され、収納時保持部は係合突起を有し、被収納時保持部は、係合突起に対応して係合凹部が、移動側メンバーの摺動面の後端部に形成されている事を特徴とする請求項２に記載のスライドレール。
【請求項４】移動側メンバーが固定側メンバーに収納された状態で、固定側メンバーの後端部に設けられた保持部材によって、移動側メンバーの収納状態が保持されるスライドレールにおいて、前記保持部材は、固定側メンバーと連結される連結基部と、移動側メンバーの摺動面の外方に位置して、連結基部側より前方に突出する係合脚部が合成樹脂材にて連結基部と一体に形成され、係合脚部は弾性脚体と、弾性脚体の前端部に位置し、移動側メンバーが固定側メンバーに収納された状態で、移動側メンバーの摺動面の後端部に形成された係合凹部に係合する係合突起を有している事を特徴とするスライドレール。
【請求項５】係合突起は連結基部側に引き込み傾斜面を有し、係合凹部は後端部側に、係合突起の引き込み傾斜面に対応して、後部傾斜面を有している事を特徴とする請求項４に記載のスライドレール。
【請求項６】移動側メンバーが固定側メンバーに収納された状態で、固定側メンバーの後端部に設けられた保持部材によって、移動側メンバーの収納状態が保持されるスライドレールにおいて、前記保持部材は、固定側メンバーと連結される連結基部と、移動側メンバーの摺動面の外方に位置するよう連結基部に連設された嵌入脚部と、嵌入脚部の移動側メンバーの基板側の一部に連設された係合脚部より合成樹脂材にて一体に形成され、係合脚部は弾性脚体と、弾性脚体の前端部に位置し、移動側メンバーが固定側メンバーに収納された状態で、移動側メンバーの摺動面の後端部に形成された係合凹部に係合する係合突起を有し、嵌入脚部の前端部は、係合突起の前方位置で移動側メンバーの摺動面に接触して、係合脚部を所定位置に変移せしめる嵌入案内突部を有している事を特徴とするスライドレール。
【請求項７】係合突起は連結基部側に引き込み傾斜面を有し、係合凹部は後端部側に、係合突起の引き込み傾斜面に対応して、後部傾斜面を有している事を特徴とする請求項６に記載のスライドレール。
【発明の詳細な説明】
【０００１】
【発明の属する技術分野】本発明は、電子機器類等に取り付けられ、機器類が本体から引き出されたり、あるいは、収納される際、所定の順序に従って各部が摺動し、機器類の荷重が定められた状態で負荷され、スムーズな摺動が維持され、複写機等の本体内に収納した時、床面の状態や本体の移動時に機器類等が飛び出すのを防止するスライドレールに関するものである。
【０００２】
【従来の技術】従来のスライドレールは断面略Ｃ字形の固定側メンバーと、固定側メンバーに摺動自在となした断面略Ｃ字形の中間メンバーと、中間メンバーに摺動自在となした断面略Ｃ字形の移動側メンバーと、上記各メンバー間でボールを回転自在に保持するボールリテーナー等から構成されるスライドレールは、各メンバーの最大伸長状態で停止させるストッパーが各メンバー間に形成されているだけであった。
【０００３】
この為、機器類が引き出されると、中間メンバーが固定側メンバーに保持された状態で、移動側メンバーが中間メンバーに対し所定位置まで引き出され、次に、移動側メンバーが中間メンバーの前方に突出した状態で、中間メンバーが固定側メンバーの前方に摺動する場合があった。
この時、機器類の荷重が前方に突出した移動側メンバーに負荷された状態で、中間メンバーが前方に移動するので、中間メンバーに対する機器類の荷重の負荷状態が異常となり、中間メンバーが固定側メンバーに対しスムーズに摺動しないという欠点があった。
【０００４】
又、中間メンバーと移動側メンバーが引き出された状態から、機器類が収納される場合（移動側メンバーが収納される場合）も、機器類の荷重が前方に突出した移動側メンバーに負荷された状態で、中間メンバーが固定側メンバーに収納される場合があり、中間メンバーに対する機器類の荷重の負荷状態が異常となり、中間メンバーが固定側メンバーに対しスムーズに摺動しないという欠点があった。
【０００５】
更に  修理、点検のため内部機器を本体側より取り外す必要がある場合、所定の操作で、移動側メンバーを最大引出し位置から内部機器と共に抜き出し、その後、再び内部機器と共に抜き出した移動側メンバーを、本体側に残された中間メンバーに装着出来る機能も必要となり、又、床面の状態や本体の移動時に内部機器が不測に飛び出すのを防止する為には、各メンバーの収納状態が維持される機能（収納時保持機能）も必要となる。
しかしながら、移動側メンバーの抜き出しを可能にするには、固定側メンバー（或いは、固定側メンバーに摺動自在とした中間メンバー）の前端部に形成した前端ストッパーに当接して、移動側メンバーを最大引出し位置で停止させる後端ストッパーを、移動側メンバーの後端部を閉塞する構造では構成する事ができないので、移動側メンバーの後端部は開口された状態（図１２）としなければならない。
【０００６】
つまり、移動側メンバー３ａが抜き出せる機能を有する従来の収納時保持機能の代表的な構造（従来例）は図１２に示すよう、固定側メンバー１ａに形成された収納時ストッパー１ｂに、嵌合凹部７ｂ、７ｂが形成された弾性材料（ゴム材）からなる収納時保持部材７ａを設け、これに対応して移動側メンバー３ａの後端部に、嵌合凹部７ｂ、７ｂに弾性的に嵌合する嵌合凸部８ａ、８ａを形成する事により、移動側メンバー３ａが中間メンバー２ａを介して固定側メンバー１ａに完全に収納された状態で、移動側メンバー３ａの後端面は開口しているので、前記収納時保持部材７ａが移動側メンバー７ａの後端部内に嵌入する事で、、嵌合凹部７ｂ、７ｂに嵌合凸部８ａ，８ａが弾性的に嵌合し、移動側メンバー３ａは固定側メンバー１ａに保持される。
【０００７】
上記構成によると、スライドレールの順送機能（機器類が引き出されると、まず、中間メンバーが移動側メンバーを収納した状態で摺動して、固定側メンバーに対し最大伸長状態となり、次に、中間メンバーに対し移動側メンバーが摺動して最大伸長状態となり、収納する時は、移動側メンバーが中間メンバーに収納されたのち、中間メンバーが移動側メンバーを収納した状態で固定側メンバーに順次収納される機能）を得る為、中間メンバー２に移動側メンバー３が収納された状態を保持する保持部材、さらに、中間メンバーが固定側メンバーに対し所定位置まで摺動した時に、中間メンバーを固定側メンバーにロックするロック部材を、移動側メンバーの後端部内面側には構成できず、従来の構造では、順送機能と収納時保持機能を併せ持つスライドレールを提供することはできなかった。
【０００８】
さらに、従来の収納時保持機能では、収納時保持部材７ａと移動側メンバー３ａの関係は、使用状態において、図１１に示すようなＡ方向の負荷（内部機器或いは抽斗等の寸法誤差等）により、移動側メンバー３ａと収納時保持部材７ａの接触面積がスライドレールの厚み方向で変化するので、保持力の安定性が損なわれ、しかも、スライドレールは通常左右一対で使用される事より、左右のスライドレールの移動側メンバー３ａの保持力が異なる事となり、左右の引出し力に悪影響を及ぼし、好ましくなかった。
又、図１１に示すようなＢ方向の負荷（内部機器或いは抽斗等の荷重等）により、移動側メンバー３ａと収納時保持部材７ａの接触強さが変化し、上記同様好ましくなかった。
【０００９】
【発明が解決しようとする課題】
本発明は上記問題に鑑みてなされたものであり、機器類の荷重が負荷されている個所のメンバーが常に順序よく移動する事、すなわち、順走機能だけでなく、収納時保持機能を併せ持ち、簡単な構造で、移動側メンバーの保持力の安定性に優れ、さらに、移動側メンバーの引き込み機能も有する従来にはなかった新規なスライドレールを提供する事を課題とする。
【００１０】
【課題を解決する為の手段】
そこで、上記課題を解決する為、本発明の第１の手段として構成したところは、固定側メンバーと、固定側メンバーに摺動自在に保持された中間メンバーと、中間メンバーに摺動自在に保持された移動側メンバーと、中間メンバーが固定側メンバーに対し最大引き出され、かつ、移動側メンバーが中間メンバーに対し所定距離引き出された状態で、中間メンバーを固定側メンバーにロック状態となすロック部材が中間メンバーに設けられたスライドレールにおいて、中間メンバーのロック状態で、移動側メンバーが中間メンバーの所定位置まで収納された時、移動メンバーが、中間メンバーと固定側メンバーのロック状態を解除し、さらに、移動側メンバーが前記ロック部材に保持されると共に、中間メンバーと移動側メンバーが、固定側メンバーに収納された状態で、移動側メンバーの後端部を保持する収納時保持部材が固定側メンバーの後端部に設けられているものである。
【００１１】
次に、本発明が第２の手段として構成したところは、ロック部材は、固定側メンバーに設けられたストッパー部に当接するストッパー当接部と移動側メンバーを保持する保持部を有し、移動側メンバーは、ロック部材のロック解除部と、ロック部材の保持部に対応する被保持部と、収納時保持部材に対応する被収納時保持部を有するものである。
【００１２】
次に、本発明が第３の手段として構成したところは、ロック部材は、ストッパー当接部がストッパー部に当接する位置と当接しない位置に変移可能で、かつ、常にストッパー当接部が、ストッパー部に当接する位置に変移するよう中間メンバーの後端部に回動自在に保持され、移動側メンバーは、ロック部材のロック解除部と、ロック部材の保持部に対応する被保持部と、収納保持部に対応する被収納保持部を有し、被保持部は、移動側メンバーの基板の後端部に形成された被係合部より構成され、保持部は、被係合部に弾性的に係合する弾性係合部より構成され、収納時保持部は係合突起を有し、被収納時保持部は、係合突起に対応して係合凹部が、移動側メンバーの摺動面の後端部に形成されているものである。
【００１３】
次に、本発明の第４の手段として構成したところは、移動側メンバーが固定側メンバーに収納された状態で、固定側メンバーの後端部に設けられた保持部材によって、移動側メンバーの収納状態が保持されるスライドレールにおいて、保持部材は、固定側メンバーと連結される連結基部と、移動側メンバーの摺動面の外方に位置して、連結基部側より前方に突出する係合脚部が合成樹脂材にて連結基部と一体に形成され、係合脚部は弾性脚体と、弾性脚体の前端部に位置し、移動側メンバーが固定側メンバーに収納された状態で、移動側メンバーの摺動面の後端部に形成された係合凹部に係合する係合突起を有しているものである。
【００１４】
次に、本発明が第５の手段として構成したところは、前記係合突起は連結基部側に引き込み傾斜面を有し、係合凹部は後端部側に、係合突起の引き込み傾斜面に対応して、後部傾斜面を有しているものである。
【００１５】
次に、本発明が第６の手段として構成したところは、移動側メンバーが固定側メンバーに収納された状態で、固定側メンバーの後端部に設けられた保持部材によって、移動側メンバーの収納状態が保持されるスライドレールにおいて、保持部材が、固定側メンバーと連結される連結基部と、移動側メンバーの摺動面の外方に位置するよう連結基部に連設された嵌入脚部と、嵌入脚部の移動側メンバーの基板側の一部に連設された係合脚部より合成樹脂材にて一体に形成され、係合脚部は弾性脚体と、弾性脚体の前端部に位置し、移動側メンバーが固定側メンバーに収納された状態で、移動側メンバーの摺動面の後端部に形成された係合凹部に係合する係合突起を有し、嵌入脚部の前端部は、係合突起の前方位置で移動側メンバーの摺動面に接触して、係合脚部を所定位置に変移せしめる嵌入案内突部を有しているものである。
【００１６】
次に、本発明が第７の手段として構成したところは、前記係合突起は連結基部側に引き込み傾斜面を有し、係合凹部は後端部側に、係合突起の引き込み傾斜面に対応して、後部傾斜面を有しているものである。
【００１７】
【実施例】
以下、実施例を図面に基づいて説明する。
図１〜図２において、符号１００はスライドレールを示し、スライドレール１００は、実施例では、固定側メンバー１と、固定側メンバー１に摺動自在に保持された中間メンバー２と、中間メンバー２にボールリテーナー４に回転自在に保持されたボール４４・・・を介して摺動自在に保持された移動側メンバー３より構成されている。
【００１８】
すなわち、固定側メンバー１は、基板１０と、上下折曲縁１１、１１よりチャンネル型に形成され、固定側メンバー１のほぼ半分程度の長さとなした合成樹脂製のリテーナー１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、中間メンバー２の収納時ストッパー１５が形成され、収納時ストッパー１５には移動側メンバー３の収納保持部材７が取付られ、基板１０の前端部には前記リテーナー１２の引出し方向への移動範囲を規制するリテーナ前ストッパー１６が形成され、基板１０の中間部には中間メンバー２の基板２０方向に突出するストッパー部１９が形成されている。
【００１９】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面側ボール摺動溝２２、２２を有し、上下折曲縁２１、２１の内面に、摺動方向に渡ってボール４４・・・が転動するボール摺動溝２３、２３を有している。  そして、上下折曲縁２１、２１の後端部には、中間メンバー２の最大引出し時に、前端部が前記固定側メンバー１のリテーナ前ストッパー１６に当接したリテーナー１２の後端に当接して、中間メンバー２の最大引出し量を規制するリテーナ後ストッパー２５、２５が形成され、基板２０の後端部には前記固定側メンバー１のストッパー部１９に対応して後端部が基板２０の後端部外方に突出するロック部材９が取付られ、基板２０前端部には案内部材５が設けられている。
【００２０】
移動側メンバー３は、固定側メンバー１とほぼ同長に形成され、ボールリテーナー４に保持されたボール４４・・・を介して摺動自在な大きさで、金属製の細条板の短手両端部を外向き円弧状に折り曲げて形成された、外面長手方向にボール４４・・の摺動面３３、３３を有する上下折曲縁３１、３１と基板３０より断面略Ｃ字型に形成されている。
そして、基板３０の後端部にはストッパー凹部３５が形成されると共に、内面所定位置にストッパー部材（図示せず。）が設けられ、中間メンバー２に対し、引出し方向に摺動し、最大引出し位置に達した状態で、ストッパー部材が前記案内部材５の一部に係合して停止し、その後、ストッパー部材のストッパー状態を解除する事で、中間メンバー２より抜き出し可能、あるいは、装着可能となっている。
【００２１】
ボールリテーナー４は、帯状金属板にて中間メンバー２の半分程度の長さとし、前記中間メンバー２と移動側メンバー３の基板２０、３０間に挿入可能な大きさのコ字形基板４０と、コ字形基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側メンバー３が最大引出し位置に達した状態で、前記案内部材５に前端部が当接し、移動側メンバー３が中間メンバー２より前方に引き出された状態で、案内部材５の一部に保持される。
【００２２】
案内部材５は、中間メンバー２の基板２０の前端部に位置する取付基板と、中間メンバー２の上下のボール摺動溝２３、２３、と移動側メンバー３のボール４４の摺動面３３、３３間に位置する案内突部と、取付基板の後端部に位置するリテーナー保持部と、前記抜け止めストッパー部材が係合する係合突部等より、合成樹脂材にて一体に形成されている。
【００２３】
収納時保持部材７は（図３、図７、図８）、固定側メンバー１の後端部に連結される連結基部７１と、連結基部７１の固定側メンバー１の上下折曲縁１１、１１側の端部前面より前方に突出し、移動側メンバー３の摺動面３３、３３の外方に位置するよう連結基部７１に連設された嵌入脚部７２、７２と、嵌入脚部７２、７２の移動側メンバー３の基板３０側の一部に連設された係合脚部８、８より合成樹脂材にて一体に形成されている。
【００２４】
連結基部７１は、固定側メンバー１の収納時ストッパー１５が嵌入する嵌入孔７１１を中央部に有し、連結基部７１の固定側メンバー１の上下折曲縁１１、１１側端部に、固定側メンバー１の基板１０側端部から上下折曲縁１１、１１の端部方向に突出し、収納時保持部材７が固定側メンバー１に連結された状態で、端部が上下折曲縁１１、１１の端部内面に当接し、収納時保持部材７の収納時ストッパー１５からの抜け止めを行う弾性傾斜翼片７１３、７１３が一体に形成されている。
【００２５】
以下、嵌入脚部７２、７２及び係合脚部８、８は、対向して対称形に形成されているので一方側についてのみ説明する。
嵌入脚部７２は、移動側メンバー３の収納時に中間メンバー２と移動側メンバー３の上下折曲縁２１、３１間に確実に嵌入するよう前端部を先細り状となした嵌入案内突部７２１と、前記係合脚部８、８が嵌入脚部７２から独立しても変移可能なように、嵌入案内突部７２１の連結基部７１側に形成された変移用空間７２２と、変移用空間７２２の連結基部７１側に位置し、変移用空間７２２内に突出する係合脚部８の後端部が一体に連設される変移用脚部７２３を有し、変移用空間７２２を除き、断面横向き鍵穴状に形成されている。
【００２６】
すなわち、嵌入脚部７２は、固定側メンバー１に対する取付位置、或いは収納時保持部材７の成形時の寸法に、若干のずれが発生しても、中間メンバー２、移動側メンバー３の収納時に、前端部を先細り状となした嵌入案内突部７２１によって移動側メンバー３のボール４４の摺動面３３、或いは中間メンバー２のボール摺動溝２３に接触する事により、変移用脚部７２３と連結基部７１の連設部分で左右上下方向に弾性的に変移して確実にボール４４の摺動面３３、ボール摺動溝２３間に嵌入する。
【００２７】
この時、断面形状が横向き鍵穴状に形成されているので、変移用空間７２２が位置する個所で変移する事がなく、変移用脚部７２３と連結基部７１の連設部分で変移するので、係合脚部８も変移用脚部７２３と共に変移する。
【００２８】
係合脚部８は、変移用脚部７２３の前方に突出し変移用空間７２２内に位置する弾性脚体８１と、弾性脚体８１の前端部に位置し、移動側メンバー３が固定側メンバー１に収納された状態で、移動側メンバー３の摺動面３３の後端部に形成された係合凹部３３０に係合する係合突起８２より構成されている。
係合突起８２は連結基部７１側に引き込み傾斜面８２１を有し、嵌入案内突部７２１側に  移動側メンバー３の収納時、折曲縁３１の後端面隅部が接触する変移案内傾斜面８２２を有している。
係合凹部３３０は、係合突起８２の引き込み傾斜面８２１に対応して後部傾斜面３３１を後端部側に有して、移動側メンバー３が収納される時、引き込み傾斜面８２１と後部傾斜面３３１と弾性脚体８１の弾性によって移動側メンバー３は収納方向に引き込まれる。
【００２９】
ロック部材９は、図４、図６、図８に示すように、中間メンバー２の基板２０の後端部で移動側メンバー３の基板３０側に回動自在に取り付ける為の取付孔９０が先端部に形成された、上下折曲縁３１、３１間よりやや小さめの上下幅を有し、上下端部に移動側メンバー３の基板３０方向に突出する上下案内突条９１０、９１０を有する取付脚部９１と、移動側メンバー３が中間メンバー２に収納された時、取付脚部９１の後端部に移動側メンバー３の基板３０方向に突出して移動側メンバー３のストッパー凹部３５の後端面が当接し、移動側メンバー３と共に、中間メンバー２を固定側メンバー１の収納方向に移動させる移動規制突部９２と、移動規制突部９２の裏面側（固定側メンバー１の基板１０側）で、ストッパー部１９よりやや大きい目の通過用間隙９３１を有して、固定側メンバー１の基板１０方向に突出する上下２つのストッパー当接部９３、９３と、取付脚部９１の上下案内突条９１０、９１０間を、移動側メンバー３の基板３０側にストッパー凹部３５と逆向きの弓形に、突出せしめた弾性係合部（保持部）９４が、合成樹脂材にて一体に形成されている。  そして、弾性係合部（保持部）９４に対応する移動側メンバー３の被保持部７０はストッパー凹部３５が被係合部として兼用されている。
【００３０】
収納時保持部材７と、ロック部材９は上記の如く構成され、移動側メンバー３と中間メンバー２が固定側メンバー１に完全に収納された状態（図５、図６に示す状態）から、機器類を引き出すと（移動側メンバー３を前方に摺動させると）、収納時保持部材７の係合突起８２の引き込み傾斜面８２１に係合凹部３３０の後部傾斜面３３１が接触し、さらに強く引き出す事で係合突起８２を移動側メンバー３の摺動面３３に接触するまで変移させながら前方に摺動し、同時に、移動側メンバー３の被保持部（ストッパー凹部３５、被係合部）７０はロック部材９の保持部（弾性係合部）９４の後方に係合しているので、中間メンバー２も移動側メンバー３と共に摺動し、次に、収納時保持部材７と移動側メンバー３の保持状態が解除される。
【００３１】
そして、移動側メンバー３を中間メンバー２と共に、前方に摺動させると、ロック部材９の通過用間隙９３１がストッパー部１９を通過する。
これと同時に、中間メンバー２の上下折曲縁２１、２１の後端部に形成されたリテーナ後ストッパー２５、２５が、固定側メンバー１のリテーナ前ストッパー１６に当接したリテーナー１２の後端に当接して、中間メンバー２は固定側メンバー１に対し最大伸長状態となって停止する。
【００３２】
さらに、機器類を引き出すと（移動側メンバー３を前方に摺動させると）、移動側メンバー３の被保持部（ストッパー凹部３５、被係合部）７０、が、ロック部材９の保持部（弾性係合部）９４を、弾性に抗して、中間メンバー３２の基板２０側に押しやりつつ前方に摺動し、ロック部材９に対する移動側メンバー３の保持状態（係合状態）が解除される。
【００３３】
そして、移動側メンバー３の下折曲縁３１の後端縁（ロック解除部）３１１がロック部材９の前側に位置すると、ロック部材９は自重によって、後端部が下方に回動し、上側のストッパー当接部９３がストッパー部１９の前側に変移し、下側のストッパー当接部９３が中間メンバー２のリテーナ後ストッパー２５の一部に当接してロック部材９の回動は停止する。
この状態で、中間メンバー２の後端部に設けられたロック部材９の上側のストッパー当接部９３が、固定側メンバー１のストッパー部１９の前側に当接し、リテーナ後ストッパー２５、２５が、固定側メンバー１のリテーナ前ストッパー１６に当接したリテーナー１２の後端に当接しているので、中間メンバー２は単独では摺動する事がなく、固定側メンバー１に対する最大伸長状態が維持される。
【００３４】
さらに、移動側メンバー３が前方に摺動すると、移動側メンバー３に設けられたストッパー部材が、前記案内部材５の係合突部に係合して停止し、中間メンバー２に対し最大伸長状態となり、移動側メンバー３、及び中間メンバー２は最も引き出された状態が維持され、不測に摺動する事がない。
そして、ストッパー部材のストッパー状態を解除する事で、移動側メンバー３は中間メンバー２より抜き出し可能、あるいは、収納方向に摺動可能となる。
【００３５】
次に、ストッパー部材のストッパー状態を解除し、移動側メンバー３を中間メンバー２に対し、収納方向に摺動させていくと、中間メンバー２に移動側メンバー３がほぼ収納された状態で、移動側メンバー３の下折曲縁３１の後端縁（ロック解除部）３１１が、ロック部材９の取付脚部９１および下案内突条９１０の下面を上方に押しやって、ストッパー当接部９３を上方に変移させ、ロック部材９の通過用間隙９３１をストッパー部１９の前側に位置せしめる事で、中間メンバー２のロック状態を解除する。
【００３６】
この時、移動側メンバー３の摺動スピードに勢いがある場合は、ほぼ同時に、ロック部材９の保持部（弾性係合部）９４を移動側メンバー３の被保持部（ストッパー凹部３５、被係合部）７０が弾性に抗して乗り越えて後方に係合し、さらに、ストッパー凹部３５（被保持部、被係合部７０）の後端面がロック部材９の移動規制突部９２に当接して、その後、中間メンバー２を共に摺動させる。
【００３７】
そして、移動側メンバー３が固定側メンバー１に収納される直前に、移動側メンバー３のボール４４の摺動面３３の後端部が、嵌入案内突部７２１を通過し（この時、保持時部材７の固定側メンバー１に対する取付位置、或いは保持部材７の成形時の寸法に、若干のずれが発生していても、前端部を先細り状となした嵌入案内突部７２１によって、変移用脚部７２３と連結基部７１の連設部分で、嵌入案内脚部７２は左右上下方向に弾性的に変移し、同時に係合脚部８も所定位置に変移せしめた状態で、確実にボール４４の摺動面３３、ボール摺動溝２３間に位置する。）、移動側メンバー３のボール４４の摺動面３３の後端部が、係合突起８２の変移案内傾斜面８２２に接触し、弾性脚体８１の弾性に抗して係合突起を８２を変移させながら収納方向に摺動し、やがて、係合突起８２の引き込み傾斜面８２１に係合凹部３３０の後部傾斜面８３１が接触し、引き込み傾斜面８２１と弾性脚体８１の弾性によって移動側メンバー３は収納方向に引き込まれる。
【００３８】
（この時、嵌入脚部７２は、中間メンバー２と移動側メンバー３の上下折曲縁２１、３１間に嵌入しているので変移用脚部７２３は変移できず、弾性脚体８１は、変移用脚部７２３との連設個所で変移することになり、変移用脚部７２３と連結基部７１の連設個所で変移するより、係合突起８２までの寸法が短くなり、より強い弾性を生じ、移動側メンバー３を確実に引き込む。）
次に、ロック部材９の後端面、あるいは、移動側メンバー３の後端縁が固定側メンバー１の収納時保持部材７の一部に当接し、中間メンバー２は移動側メンバー１と共に固定側メンバー１に収納される。（図５、図６に示す状態。）
【００３９】
一方、機器類が緩やかに収納されると（移動側メンバー３が緩やかに摺動すると）、移動側メンバー３の下折曲縁３１の後端縁（ロック解除部）３１１が、ロック部材９の取付脚部９１の下面を上方に押しやって、ストッパー当接部９３を上方に移動させ、ロック部材９の通過用間隙９３１をストッパー部１９の前側に位置せしめる事で、中間メンバー２のロック状態を解除した状態で、移動側メンバー３の被保持部（ストッパー凹部３５、被係合部）７０の後面が、ロック部材９の保持部（弾性係合部）９４に当接し、中間メンバー２は移動側メンバー３と共に摺動し、ロック部材９の通過用間隙９３１がストッパー部１９を通過して、固定側メンバー１に収納されて、やがて、ロック部材９の後端面が収納時保持部材７の一部に当接し、中間メンバー２の摺動は停止する。
【００４０】
次に、ロック部材９の保持部（弾性係合部）９４を移動側メンバー３の被保持部（ストッパー凹部３５、被係合部）７０が弾性に抗して乗り越えて後方に係合し、同時にストッパー凹部３５（被保持部、被係合部７０）の後端面がロック部材９の移動規制突部９２に当接して停止し、移動側メンバー３は中間メンバー２に完全収納され、中間メンバー２は固定側メンバー１に収納される。
【００４１】
【発明の効果】
請求項１に記載の発明によれば、移動側メンバーに中間メンバーと固定側メンバーのロック解除機能を設け、ロック部材に移動側メンバーの保持機能を設けているので、各メンバーに異常な負荷が発生せず、中間メンバーと移動側メンバーは所定の順序で確実に摺動するだけでなく、部材点数が少なくてすみ安価に製作できる。
又、固定側メンバーに移動メンバーの収納時保持部材をもうけているので、床面の状態や本体の移動時に内部機器が不測に飛び出すのを防止することが出来る。
【００４２】
請求項２に記載の発明によれば、ロック部材は、固定側メンバーに設けられたスツトパー部に当接するストッパー当接部と移動側メンバーを保持する保持部を有し、移動側メンバーは、ロック部材のロック解除部と、ロック部材の保持部に対応する被保持部と、収納時保持部材に対応する被収納時保持部を有しているので、上記効果に加え、構造が簡単で部材点数が少なく安価に製作できる。
【００４３】
請求項３に記載の発明によれば、ロック部材をコンパクトに成形でき、材料費のコストダウンが計れる。
【００４４】
請求項４に記載の発明によれば、係合脚部は、移動側メンバーの摺動面の外方に位置するよう形成され、係合脚部の係合突起に係合する係合凹部を移動側メンバーの摺動面に形成しているので、係合脚部は、適度な弾性を有し係合凹部の位置ずれに対応して変移し、保持力が安定する。
【００４６】
請求項５に記載の発明によれば、係合突起に引き込み傾斜面を設け、係合凹部の後端部側に、係合突起の引き込み傾斜面に対応して、後部傾斜面を設けているので、移動側メンバーを所定位置まで収納すれば、移動側メンバーは確実に固定側メンバーに引き込まれるので、抽斗等の収納忘れ等が防止出来る。
【００４７】
請求項６及び請求項７に記載の発明によれば、嵌入脚部とを移動側メンバーの摺動面の外方に位置するよう設け、係合脚部を嵌入脚部の移動側メンバーの基板側の一部に連設させ、係合脚部の係合突起の前方位置で、移動側メンバーの摺動面に接触して係合脚部を所定位置に変移せしめる嵌入案内突部を嵌入脚部に設けているので、嵌入脚部は、固定側メンバーに対する取付位置、或いは保持部材の成形時の寸法に、若干のずれが発生しても、移動側メンバーの収納時に、嵌入案内突部によって移動側メンバーのボールの摺動面に接触する事により、左右上下方向に弾性的に変移して確実にボールの摺動面に位置し、移動側メンバーを所定位置まで収納すれば、移動側メンバーは確実に固定側メンバーに引き込まれるので、抽斗等の収納忘れ等が防止出来る。
【図面の簡単な説明】
【図１】本発明の斜視図
【図２】図１のＡ−Ａ線断面図
【図３】収納時保持部材の斜視図
【図４】ロック部材の斜視図
【図５】移動側メンバーを収納した状態で要部を切り欠いた状態の正面図
【図６】図５のＣ−Ｃ線要部断面図
【図７】図５のＤ−Ｄ線要部断面図
【図８】図５のＥ−Ｅ線要部断面図
【図９】中間メンバーのロック状態を示す正面図
【図１０】中間メンバーのロックを解除した状態の正面図
【図１１】従来のスライドレールの要部断面図
【図１２】従来の収納時保持部材を用いたスライドレールの要部断面図
【符号の説明】
１              固定側メンバー
１０            基板
１１            折曲縁
１９            ストッパー部
１００          スライドレール
２              中間メンバー
２０            基板
２１            折曲縁
３              移動側メンバー
３０            基板
３１１          ストッパー解除部
３３            摺動面
３３０          被収納時保持部（係合凹部）
３５（７０）    被係合部（被保持部）
４              ボールリテーナー
７              収納時保持部材
７１            連結基部
７２            嵌入脚部
７２１          嵌入案内突部
８              係合脚部
８１            弾性脚体
８２            係合突起
８２１          引き込み傾斜面
９              ロック部材
９３            ストッパー当接部
９４            保持部（弾性係合部）